(57)【要約】【課題】最適な充電条件で二次電池を充電する。【解決手段】二次電池と、この二次電池への充電を行う充電装置とを有し、充電装置は、二次電池の温度および直流抵抗の組み合わせと充電条件との対応を示すテーブルを記憶するテーブル記憶部と、二次電池の温度を検出する温度検出部と、二次電池の直流抵抗を検出する抵抗検出部と、検出された温度および直流抵抗をもとにテーブルから該当する充電条件を参照し、この充電条件により二次電池への充電が行われるように制御するように構成される充電制御部とを具備する。【選択図】図１
2015104225.tif 000002
【特許請求の範囲】
【請求項１】
二次電池のパラメータを検出するパラメータ検出部と、
前記二次電池のパラメータと充電条件との対応を示すテーブルを記憶するテーブル記憶部と、
前記検出されたパラメータをもとに前記テーブルから該当する充電条件を参照し、この充電条件により前記二次電池への充電が行われるように制御するように構成される充電制御部と
を具備する蓄電システム。
【請求項２】
請求項１に記載の蓄電システムであって、
前記テーブルが、前記二次電池の温度および内容抵抗の組み合わせと充電条件との対応を示すテーブルである
蓄電システム。
【請求項３】
請求項２に記載の蓄電システムであって、
前記充電条件が、前記二次電池の予め決められた利用期間を保証するように定められたものである
蓄電システム。
【請求項４】
請求項３に記載の蓄電システムであって、
前記充電制御部は、前記検出された温度が予め決められた温度より低い場合に前記テーブルから前記該当する充電条件を参照し、この充電条件に従って充電を行わせ、前記検出された温度が予め決められた温度以上である場合に固定の充電条件により充電を行わせるように構成される
蓄電システム。
【請求項５】
請求項４に記載の蓄電システムであって、
前記二次電池の劣化量を算出する劣化量算出部と、
前記二次電池の許容劣化量を算出する許容劣化量算出部と、
をさらに具備し、
前記充電制御部は、前記算出された劣化量と許容劣化量とを比較し、この結果に応じて、前記二次電池の劣化速度が抑制されるように前記テーブルの充電条件を更新するように構成される
蓄電システム。
【請求項６】
請求項５に記載の蓄電システムであって、
前記劣化量算出部及び前記許容劣化量算出部は各々、所定のタイミング条件に従って前記劣化量の算出および前記許容劣化量の算出を行い、
前記充電制御部は、前記テーブルの充電条件が更新された時点での前記劣化量に対して次に取得された前記劣化量の変化値が、前記テーブルの充電条件が更新された時点での前記許容劣化量に対して次に取得された前記許容劣化量の変化値より大きい場合に、前記二次電池の劣化速度が抑制されるように前記テーブルの充電条件を更新するように構成される
蓄電システム。
【請求項７】
二次電池のパラメータを検出し、
前記検出されたパラメータをもとに、前記二次電池のパラメータと充電条件との対応を示すテーブルから該当する充電条件を参照し、
この充電条件により前記二次電池への充電を行う
二次電池の充電方法。
【発明の詳細な説明】
【技術分野】
【０００１】
本技術は、リチウムイオン電池などの二次電池を用いて蓄電を行う蓄電システム、および二次電池の充電方法に関する。
【背景技術】
【０００２】
現在、リチウムイオン電池などに代表される二次電池は、携帯電話などを初めとした様々なモバイル機器の電源として広く浸透している。さらに近年においては電気自動車やハイブリッド自動車向けの車載用途や、携帯電話基地局等のバックアップ電源向けの大型蓄電用途、家庭用のバックアップ電源向けの中型蓄電用途など、蓄電池の大容量化に向けた市場要求が高まっている。それに伴い、二次電池を常時屋外で使用するケースの増加が予想されるため、二次電池の温度特性が重要視される傾向が強まっている。
【０００３】
特に低温下においては、リチウムイオン電池の特性が低下し、劣化の進みがはやい。二次電池の劣化は条件によって複数のモードに区別される。たとえば、リチウムイオン電池では、室温以上（例えば１５℃以上）での緩やかな劣化と、室温未満での金属リチウム析出を伴う急激な劣化がある。
【０００４】
二次電池の劣化の状態をモニタリングする公知の技術として、例えば、時間の平方根と温度と充電状態（ＳＯＣ：State Of Charge）により劣化量を推定する技術などが知られている（例えば特許文献１）。かかる技術は、室温以上での緩やかな劣化の状態を推定の範囲とするものである。
【先行技術文献】
【特許文献】
【０００５】
【特許文献１】特開２００７−１９５３１２号公報
【発明の概要】
【発明が解決しようとする課題】
【０００６】
リチウムイオン電池の劣化モードには、少なくとも、室温以上（例えば１５℃以上）での緩やかな劣化と、室温未満での金属リチウム析出を伴う急激な劣化とがある。室温未満での金属リチウム析出を伴う急激な劣化は、リチウムイオン電池の寿命に大きく影響する。この室温未満での急激な劣化は充電電流を小さくすることによりある程度は抑制することが可能である。
しかし、充電電流を小さくするとそれだけ長い充電時間が必要となり、エンドユーザの利便性が損なわれる。充電時間を引き延ばすために充電電流を大きくすれば、室温未満での金属リチウム析出を伴う急激な劣化が顕著になり、寿命が短くなる。
【０００７】
このようにリチウムイオン電池などの二次電池においては、最適な充電電流などの充電条件の選定が困難であるという課題がある。
【０００８】
そこで、本技術の目的は、最適な充電条件で二次電池を充電することのできる蓄電システムおよび二次電池の充電方法を提供することにある。
【課題を解決するための手段】
【０００９】
上記の課題を解決するために、本技術の一の形態の蓄電システムは、二次電池のパラメータを検出するパラメータ検出部と、前記二次電池のパラメータと充電条件との対応を示すテーブルを記憶するテーブル記憶部と、前記検出されたパラメータをもとに前記テーブルから該当する充電条件を参照し、この充電条件により前記二次電池への充電が行われるように制御するように構成される充電制御部とを具備する。
【００１０】
前記テーブルは、前記二次電池の温度および内容抵抗の組み合わせと充電条件との対応を示すテーブルであってよい。
【００１１】
前記充電条件は、前記二次電池の予め決められた使用期間を保証するように定められたものであってよい。
【００１２】
前記充電制御部は、前記検出された温度が予め決められた温度より低い場合に前記テーブルから前記該当する充電条件を参照し、この充電条件に従って充電を行わせ、前記検出された温度が予め決められた温度以上である場合に固定の充電条件により充電を行わせるように構成されたものであってよい。
【００１３】
この蓄電システムは、前記二次電池の劣化量を算出する劣化量算出部と、前記二次電池の許容劣化量を算出する許容劣化量算出部と、をさらに具備し、前記充電制御部は、前記算出された劣化量と許容劣化量とを比較し、この結果に応じて、前記二次電池の劣化速度が抑制されるように前記テーブルの充電条件を更新するように構成されるものであってよい。
【００１４】
前記劣化量算出部及び前記許容劣化量算出部は各々、所定のタイミング条件に従って前記劣化量の算出および前記許容劣化量の算出を行い、前記充電制御部は、前記テーブルの充電条件が更新された時点での前記劣化量に対して次に取得された前記劣化量の変化値が、前記テーブルの充電条件が更新された時点での前記許容劣化量に対して次に取得された前記許容劣化量の変化値より大きい場合に、前記二次電池の劣化速度が抑制されるように前記テーブルの充電条件を更新するように構成されてもよい。
【００１５】
本技術の別の形態である二次電池の充電方法は、二次電池のパラメータを検出し、前記検出されたパラメータをもとに、前記二次電池のパラメータと充電条件との対応を示すテーブルから該当する充電条件を参照し、この充電条件により前記二次電池への充電を行う、というものである。
【発明の効果】
【００１６】
以上のように、本技術によれば、最適な充電条件で二次電池を充電することができる。
【図面の簡単な説明】
【００１７】
【図１】本技術に係る第１の実施形態である蓄電システムの構成を示すブロック図である。
【図２】二次電池の温度と内部抵抗との組み合わせと充電条件との対応を示すテーブルの例を示す図である。
【図３】ＯＣＶ容量を説明する図である。
【図４】二次電池の総稼動時間ｔｎと最低許容無負荷容量ＱＲｅｆ(ｔｎ)との関係を示すグラフである。
【図５】充電条件の選択処理の流れを示すフローチャートである。
【図６】テーブルの更新の流れを示すフローチャートである。
【図７】テーブルの更新結果の例を示す図である。
【図８】テーブルの２回目以降の更新の要否判定において更新不要が判定される場合を示す図である。
【図９】テーブルの２回目以降の更新の要否判定において更新要が判定される場合を示す図である。
【図１０】二次電池の劣化指標として用いられるｔ1秒抵抗を説明する図である。
【発明を実施するための形態】
【００１８】
以下、本技術に係る実施形態を、図面を参照しながら説明する。
＜第１の実施形態＞
【００１９】
図１は、本技術に係る第１の実施形態である蓄電システムの構成を示すブロック図である。
この蓄電システム１００は、二次電池モジュール１と、充電制御装置２と、充電部３とを有する。
【００２０】
二次電池モジュール１は、例えばリチウムイオン電池などの二次電池で構成される。
【００２１】
充電制御装置２は、充電部３を制御する装置である。
充電部３は、商用電源や太陽エネルギーを電力に変換する装置などから得た電力から二次電池の充電用の電力を生成して二次電池に供給するための回路などで構成される。
【００２２】
充電制御装置２は、二次電池モジュール１内の二次電池の劣化量などを求めるために必要な複数の劣化パラメータの値を取得する劣化パラメータ取得部１０を有する。
【００２３】
劣化パラメータ取得部１０は、充電時に二次電池を流れる電流を電流センサーなどを用いて監視する電流監視部１１と、充電時に二次電池の端子間の電圧を電圧センサーなどを用いて監視する電圧監視部１２と、二次電池の総稼働時間をタイマーなどを用いて監視する時間監視部１３と、二次電池の温度の情報を二次電池モジュール１内の温度センサーなどから取り込んで監視する温度監視部１４とを有する。すなわち、劣化パラメータ取得部１０は、充電時に二次電池を流れる電流、充電時の二次電池の端子間の電圧、二次電池の総稼働時間、二次電池の温度を劣化パラメータの値として各々取得する。
【００２４】
充電制御装置２は、さらに、使用履歴記憶部２１、劣化指標算出部２２、許容劣化指標算出部２３、抵抗算出部２４、充電条件テーブル記憶部２５および充電制御部２６を有する。ここで、使用履歴記憶部２１および充電条件テーブル記憶部２５は充電制御装置２内の図示しないＲＡＭ（Random Access Memory）などのメモリデバイスを用いて与えられる記憶部である。
劣化指標算出部２２、許容劣化指標算出部２３、抵抗算出部２４、および充電制御部２６は、充電制御装置２内の例えばＣＰＵ（Central Processing Unit）などのコントローラとプログラムなどによって与えられる機能部である。
【００２５】
使用履歴記憶部２１は、劣化パラメータ取得部１０によって取得された電流、電圧、総稼働時間、温度などの各劣化パラメータの値を、二次電池の使用履歴として記憶する領域である。
【００２６】
充電条件テーブル記憶部２５は、例えば、図２に示すように、二次電池の温度と内部抵抗との組み合わせと充電条件との対応を示すテーブルが記憶される領域である。二次電池の劣化により二次電池の内部抵抗は次第に大きくなるので、二次電池の温度と組み合わせることで、より高い分解能での充電条件の選定が可能となる。
【００２７】
本実施形態では、充電条件は充電電流により与えられる。室温未満では充電電流を小さくすればするほど二次電池の劣化速度を抑制できる。しかし、充電電流を小さくすればするほど充電時間が長くかかる。そこで、メーカなどにより要求された二次電池の使用期間が保証される範囲で、充電時間を可及的に短縮できるように、二次電池の温度と内部抵抗の各値の組み合わせに対して、各々最適な充電電流を示す情報がテーブルに設定される。
【００２８】
なお、図２に示すテーブルにおいて、温度２０℃は１５℃以上から２５℃未満の範囲を示す。温度１０℃は５℃以上から１５℃未満の範囲を示す。温度０℃は−０．２５℃以上から５℃未満の範囲を示す。温度−５℃は−ｘ℃以上から−０．２５℃未満の範囲を示す。また、抵抗値２０ｍΩは２５ｍΩ未満を示す。抵抗値３０ｍΩは２５ｍΩ以上から３５ｍΩ未満を示す。抵抗値４０ｍΩは３５ｍΩ以上から４５ｍΩ未満を示す。抵抗値５０ｍΩは４５ｍΩ以上から５５ｍΩ未満を示す。
【００２９】
このテーブルに表される温度および内部抵抗の分解能や、充電電流を示す情報は一例である。温度と内部抵抗の各値との組み合わせによっては、充電そのものが不可である場合も考えられる。このような組み合わせに対しては充電禁止を示す情報が設定される。
【００３０】
劣化指標算出部２２は、使用履歴記憶部２１に保存されている電流、電圧、総稼働時間などの各劣化パラメータの値をもとに、現時点（総稼働時間ｔｎの時点）での二次電池の劣化量を示す劣化指標値Ｑ（ｔｎ）を算出する。
【００３１】
許容劣化指標算出部２３は、劣化指標算出部２２によって算出される総稼働時間ｔｎの時点での劣化指標値Ｑ（ｔｎ）の評価基準値として用いられる、二次電池の総稼動時間ｔｎに対応する許容劣化指標値ＱＲｅｆ（ｔｎ）を求める。
【００３２】
二次電池の劣化指標には様々なものがある。その一つに、例えばＯＣＶ（Open Circuit Voltage）容量がある。本来、ＯＣＶ容量は、図３に示すように、二次電池を満充電させた状態から放電と休止をカットオフ電圧に至るまで繰り返したときの積算容量である。
二次電池を低電流で完全に放電させた後、満充電状態になるまでの例えば充電電流と時間との乗算などによって算出される充電容量は、上記のＯＣＶ容量とほぼ等しいものとして、これを二次電池の劣化指標として採用することができる。
【００３３】
図４は、劣化指標値Ｑ（ｔｎ）として上記のＯＣＶ容量を採用した場合の、許容劣化指標値ＱＲｅｆ（ｔｎ）と二次電池の総稼動時間ｔｎとの関係を示すグラフである。許容劣化指標算出部２３には、この関係を示す情報が予め保持されている。許容劣化指標算出部２３は、この情報をもとに、総稼働時間ｔｎの時点での許容劣化指標値ＱＲｅｆ（ｔｎ）を求める。
【００３４】
抵抗算出部２４は、使用履歴記憶部２１に記憶された、測定時間が互いに対応する電流、電圧、時間などの各劣化パラメータの値を用いて、二次電池の劣化の状態に対応する内部抵抗を統計的に算出し、その値を保持する。
なお、本実施形態において劣化パラメータ取得部１０と抵抗算出部２４が特許請求の範囲の「パラメータ検出部」に相当する。
【００３５】
充電制御部２６は、二次電池の充電を制御するコントローラである。充電制御部２６は、予め決められたタイミング条件が成立したとき、使用履歴記憶部２１に記憶された温度のパラメータの値を参照するとともに、抵抗算出部２４に保持された二次電池の内部抵抗の値を取得する。充電制御部２６は、その温度と内部抵抗との組み合わせに対応する充電条件をテーブルから参照し、充電制御部２６の内部に設定する。
【００３６】
充電制御部２６は、劣化指標算出部２２にて算出された総稼働時間ｔｎの時点での劣化指標値Ｑ（ｔｎ）と許容劣化指標算出部２３にて算出された総稼働時間ｔｎの時点での許容劣化指標値ＱＲｅｆ（ｔｎ）とを比較することによって二次電池の劣化の状態を評価する。
【００３７】
Ｑ（ｔｎ）＞ＱＲｅｆ（ｔｎ）が成立しない場合、すなわち、劣化指標値Ｑ（ｔｎ）が許容劣化指標値ＱＲｅｆ（ｔｎ）以下となっている場合、二次電池の劣化量が、メーカなどにより要求される使用期間が保証されない範囲にあると判定される。この場合、充電制御部２６は、二次電池の劣化速度が抑制されるようにテーブルの充電条件を更新する。
【００３８】
また、充電制御部２６は、テーブルの充電条件が更新された時点での劣化指標値Ｑ（ｔｎ−１）に対して次に算出された劣化指標値Ｑ（ｔｎ）の変化量（低下量）が、同じくテーブルの充電条件が更新された時点での許容劣化指標値ＱＲｅｆ（ｔｎ−１）に対して次に算出された許容劣化指標値ＱＲｅｆ（ｔｎ）の変化値（低下量）より大きい場合に、再度、二次電池の劣化速度が抑制されるようにテーブルの充電条件を更新するように構成される。
【００３９】
［動作の説明］
次に、本実施形態の充電制御装置２の動作を説明する。
【００４０】
（１．二次電池の使用履歴および内部抵抗の値の保持）
劣化パラメータ取得部１０は、二次電池モジュール１の充電中、電流、電圧、総稼働時間、温度の各劣化パラメータの値を取得する。劣化パラメータ取得部１０は、例えば、二次電池モジュール１の充電中、同じもしくは略同じタイミングで各々の劣化パラメータの値を１回以上取得してもよい。
取得された各々の劣化パラメータの値は使用履歴記憶部２１に使用履歴として記憶される。充電中、各々の劣化パラメータの値が複数回取得されて使用履歴記憶部２１に記憶された場合、それら複数の値の平均値を、内部抵抗、劣化指標値などの計算に利用するようにしてよい。
【００４１】
また、抵抗算出部２４は、予め決められたタイミング条件に従って、使用履歴記憶部２１から電流、電圧、時間などの各劣化パラメータの値を参照して二次電池の内部抵抗あるいはその平均値を算出し、その結果を保持する。なお、内部抵抗を算出するタイミング条件としては、充電の終了直後などが挙げられる。
【００４２】
（２．室温未満での充電条件の選択）
図５は充電条件の選択処理の流れを示すフローチャートである。
【００４３】
まず、充電制御装置２の充電制御部２６に、充電開始の指示が、例えば上位のコントローラなどより与えられる。充電制御部２６は充電開始の指示を受けると、使用履歴記憶部２１に記憶された温度の劣化パラメータの値を取得する（ステップＳ１０１）。
【００４４】
次に、充電制御部２６は取得した温度と予め決められた規定温度とを比較する（ステップＳ２０２）。規定温度は例えば２５℃などでよい。本技術は、勿論、この温度であることに限定されない。
【００４５】
なお、充電制御部２６は、使用履歴記憶部２１から一定期間において複数の時点での温度の値を取得し、これらの温度の値の平均値を規定温度と比較してもよい。
【００４６】
取得した温度（あるいは平均値）が規定温度以上である場合（ステップＳ１０２のＮｏ）、充電制御部２６は、金属リチウムの析出に伴う急激な劣化が生じる可能性は低いとして、予め決められた固定の充電条件により二次電池への充電を開始するように充電部３に充電制御指令を出す（ステップＳ１０３）。このように規定温度以上の環境において用いられる固定の充電条件が、テーブルで管理される可変の充電条件とは別に予め設定されている。
【００４７】
取得した温度（あるいは平均値）が規定温度より低いとき（ステップＳ１０２のＹｅｓ）、充電制御部２６はテーブルを参照して充電条件を選定する処理に進む。まず、充電制御部２６は抵抗算出部２４に保持された、二次電池の内部抵抗の値を取得する（ステップＳ１０４）。
【００４８】
次に、充電制御部２６は、取得した温度の値と内部抵抗の値との組み合わせに対応付けられた充電条件をテーブルから参照する（ステップＳ１０５）。例えば、図２に示したテーブルを想定したとき、温度が１９℃、抵抗値が３２ｍΩである場合には、充電条件として０．８Ｃが選択される。ここで、１Ｃは二次電池を定電流放電して１時間で放電終了となる電流値である。
【００４９】
充電制御部２６は、テーブルから参照した充電条件により二次電池の充電を開始するように充電部３に充電制御指令を与える（ステップＳ１０６）。充電部３は、この充電制御指令に従って、二次電池の当該充電条件での充電を開始する。
【００５０】
なお、温度と内部抵抗との組み合わせに対してテーブルから充電禁止を示す情報が参照される場合がある。この場合、充電制御部２６は、充電禁止時の処理、例えば、充電部３に対して充電禁止のための制御指令を供給し、ユーザにその旨を通知する処理などを行う。これにより、二次電池の想定外の使用による事故などの発生を回避することができる。
【００５１】
二次電池の充電中も、充電制御部２６は、例えば、予め決められた一定の時間周期で（ステップＳ１０７）、使用履歴記憶部２１から温度の値を取得するとともに、抵抗算出部２４から内部抵抗の値を取得する（ステップＳ１０９）。
充電制御部２６は、取得した温度と内部抵抗の各値の組み合わせに対応する充電条件をテーブルから参照し（ステップＳ１１０）、この参照した充電条件が既に充電部３に設定されている充電条件と異なるかどうかを判断する（ステップＳ１１１）。
【００５２】
充電制御部２６は、テーブルから参照した充電条件が既に充電部３に設定されている充電条件と同じである場合には（ステップＳ１１１のＮｏ）、ステップＳ１０７の一定時間の経過待ちの処理に戻って同じ手順を繰り返す。
【００５３】
充電制御部２６は、新たに参照した充電条件が既に採用されている充電条件と異なる場合には（ステップＳ１１１のＹｅｓ）、新たに参照した充電条件に切り替えるように充電部３に充電条件切り替え指令を与える。（ステップＳ１１２）。充電部３は、この充電条件切り替え指令に従って充電条件を切り替える。
【００５４】
（３．二次電池の劣化量に応じたテーブル更新処理）
図６はテーブルの更新処理の流れを示すフローチャートである。
図５のステップＳ１０８において二次電池の充電が終了すると（ステップＳ１０８のＹｅｓ）、充電制御部２６は、二次電池の劣化量に応じたテーブルの更新処理を行うために、劣化指標算出部２２および許容劣化指標算出部２３をそれぞれ起動させる。
【００５５】
劣化指標算出部２２は、使用履歴記憶部２１に保存されている電流、電圧、総稼働時間などの各劣化パラメータの値を参照し、二次電池の現時点（総稼働時間ｔｎの時点）での劣化指標値Ｑ(ｔｎ)を算出する（ステップＳ２０１）。
【００５６】
次に、許容劣化指標算出部２３は、総稼働時間ｔｎにおける劣化指標値Ｑ（ｔｎ）を評価するための基準値として用いられる許容劣化指標値ＱＲｅｆ（ｔｎ）を算出する（ステップＳ２０２）。
【００５７】
許容劣化指標値ＱＲｅｆ（ｔｎ）が算出される後、充電制御部２６は、テーブルの更新履歴を確認する（ステップＳ２０３）。テーブルの更新履歴とは、テーブルの充電条件が過去に更新されたものであるかどうかを示す情報、および更新日時などを含む。
【００５８】
充電制御部２６は、テーブルの充電条件が過去に更新されていないことを確認すると（ステップＳ２０３のＹｅｓ）、劣化指標算出部２２から劣化指標値Ｑ（ｔｎ）を取得するとともに、許容劣化指標算出部２３から許容劣化指標値ＱＲｅｆ（ｔｎ）を取得する。充電制御部２６は、劣化指標値Ｑ（ｔｎ）と許容劣化指標値ＱＲｅｆ（ｔｎ）とを比較し、下記の条件を満足するかどうかを判定する（ステップＳ２０４）。
Ｑ（ｔｎ）＞ＱＲｅｆ（ｔｎ） ・・・（１）
【００５９】
上記（１）式の条件を満足する場合（ステップＳ２０４のＹｅｓ）、充電制御部２６は、二次電池の劣化の状態が現在のテーブルの充電条件をそのまま用いても問題はない程度、すなわち、メーカなどによって決められた二次電池の使用期間が保証される程度であるとみなし、処理を終了する。なお、図４の劣化指標値Ｑ（ｔｎ）および許容劣化指標値ＱＲｅｆ（ｔｎ）の関係は上記（１）式の条件を満足する。
【００６０】
上記（１）式の条件を満足しない場合（ステップＳ２０４のＮｏ）、充電制御部２６は、二次電池の劣化の状態が現在のテーブルの内容では問題がある（ユーザが求める二次電池の使用期間を保証できない可能性がある）とみなし、メーカなどが要求する二次電池の使用期間が保証される可能性がより高くなるようにテーブルの充電条件を更新する（ステップＳ２０５）。
【００６１】
テーブルの充電条件を更新する方法としては、例えば、充電条件が充電電流であれば、各々の充電電流の値に小数点以下の所定の値を乗じる方法などがある。例えば、小数点以下の固定値として０．９などの値が採用される。これによりテーブルの内容は、図２に示した状態から図７のように更新される。ここで電流値が０．１Ｃ未満となった温度と抵抗値との組み合わせは使用禁止とするようにしてもよい。
【００６２】
テーブルの初回の更新が行われた後、充電制御部２６は、テーブルの更新履歴を記録する（ステップＳ２０６）。
【００６３】
次に、ステップＳ２０３で、テーブルが過去に更新されたことがあると判定された場合を説明する（ステップＳ２０３のＹｅｓ）。充電制御部２６は、下記の条件を満足するかどうかを判定する（ステップＳ２０７）。
Ｑ（ｔｎ−１）−Ｑ（ｔｎ）＞ＱＲｅｆ（ｔｎ−１）−ＱＲｅｆ（ｔｎ）・・・（２）
ここで、Ｑ（ｔｎ−１）は、テーブルの前回の更新のための算出された劣化指標値ＱＲｅｆ（ｔｎ−１）は、テーブルの前回の更新のための算出された許容劣化指標値である。
【００６４】
上記(２)式の条件を満足しない場合（ステップＳ２０７のＮｏ）、充電制御部２６は、二次電池の劣化速度が現在のテーブルをそのまま用いても問題はない程度、すなわち、二次電池の使用期間が保証される程度であるとみなし、処理を終了する。
【００６５】
図８は(２)式の条件を満足しない場合の例を示している。劣化指標値の低下量（Ｑ（ｔｎ−１）−Ｑ（ｔｎ））が許容劣化指標値の低下量（ＱＲｅｆ（ｔｎ−１）−ＱＲｅｆ（ｔｎ））よりも小さいため、この先、劣化指標値Ｑ（ｔｎ）が許容劣化指標値ＱＲｅｆ（ｔｎ）より低くなる可能性は低い。すなわち、現在のテーブルをそのまま用いることによって二次電池の使用期間が保証されることが推定される。
【００６６】
上記(２)式の条件を満足する場合（ステップＳ２０７のＹｅｓ）、充電制御部２６は、二次電池の劣化速度が現在のテーブルの内容では問題がある程度、すなわち、二次電池の使用期間が保証されない程度であるとみなし、メーカなどが要求する二次電池の使用期間が保証される可能性がより高くなるようにテーブルの充電条件を更新する（ステップＳ２０５）。
【００６７】
図９は(２)式の条件を満足する場合の例を示している。劣化指標値の低下量（Ｑ（ｔｎ−１）−Ｑ（ｔｎ））が許容劣化指標値の低下量（ＱＲｅｆ（ｔｎ−１）−ＱＲｅｆ（ｔｎ））よりも大きいため、この先、劣化指標値Ｑ（ｔｎ）が許容劣化指標値ＱＲｅｆ（ｔｎ）より低くなる可能性がある。すなわち、現在のテーブルをそのまま用いていたのでは二次電池の使用期間が保証されない可能性があることが推定される。よって、このような場合にはメーカなどが要求する二次電池の使用期間が保証される可能性がより高くなるようにテーブルの更新が行われる。
【００６８】
この場合のテーブルの更新方法としては、初回の更新時と同様に、例えば、充電条件が充電電流であれば、各々の充電電流の値に小数点以下の所定の値を乗じる方法を用いてよい。あるいは、初回の更新時と異なる方法でテーブルの充電条件を更新してもよい。
【００６９】
テーブルの更新が行われた後、充電制御部２６は、テーブルの更新履歴を再度記録する（ステップＳ２０６）。
【００７０】
［本実施形態の効果等］
１．本実施形態の蓄電システム１００において、充電制御装置２は、二次電池の温度と内部抵抗との様々な組み合わせに対して、室温未満での二次電池の劣化速度の抑制と充電時間の２つの観点から理想的な充電条件が登録されたテーブルを有する。充電制御部２６は、現時点の二次電池の温度と内部抵抗に応じた理想的な充電条件をテーブルから参照し、その充電条件で充電を実行させるように制御する。これにより、室温未満での二次電池の劣化速度の抑制と充電時間の２つの観点から最適な充電条件で二次電池を充電することができる。
【００７１】
２．充電制御部は、二次電池の充電中もテーブルから理想的な充電条件を得て、必要に応じて充電条件を変更する。すなわち、状況の変化に応じて動作的に最適な充電条件で二次電池を充電することができる。
【００７２】
３．劣化指標算出部２２は、二次電池の劣化量を総稼働時間ｔｎの時点での劣化指標値Ｑ（ｔｎ）として定量化する。充電制御部２６は、総稼働時間ｔｎの時点での劣化指標値Ｑ（ｔｎ）が、その総稼働時間ｔｎの時点での許容劣化指標値ＱＲｅｆ（ｔｎ）以下となった場合には、二次電池の劣化の状態がメーカなどにより要求される使用期間が保証されない範囲にあることを判定し、室温未満での二次電池の劣化速度が抑制されるようにテーブルの充電条件を更新する。これにより、室温未満での二次電池の劣化速度の抑制と充電時間、さらには要求される使用期間の３つの観点から、最適な充電条件で二次電池を充電することができる。
【００７３】
４．さらに、充電制御部２６は、テーブルの充電条件が更新された時点での劣化指標値Ｑ（ｔｎ−１）に対して次に算出された劣化指標値Ｑ（ｔｎ）の変化量（低下量）が、同じくテーブルの充電条件が更新された時点での許容劣化指標値ＱＲｅｆ（ｔｎ−１）に対して次に算出された許容劣化指標値ＱＲｅｆ（ｔｎ）の変化値（低下量）より大きい場合に、再度、二次電池の劣化速度が抑制されるようにテーブルの充電条件を更新する。これによっても、室温未満での二次電池の劣化速度の抑制と充電時間、さらには要求される使用期間の３つの観点から、最適な充電条件で二次電池を充電することができる。
【００７４】
＜変形例１＞
上記の実施形態では、充電条件を充電電流としたが、その他に同様に利用できる充電条件として、充電を終了させる時のカットオフ電流、カットオフ電圧なども挙げられる。あるいは充電電流、カットオフ電流、カットオフ電圧の複数の組み合わせを充電条件としてもよい。
【００７５】
＜変形例２＞
本実施形態では、二次電池がリチウムイオン電池である場合を想定したが、室温など、ある温度よりも低温環境において、劣化速度が速くなる性質を有するその他の種類の二次電池を想定した場合にも、本技術は同様に応用され得る。
【００７６】
＜変形例３＞
上記の実施形態では、二次電池の劣化指標としてＯＣＶ容量を採用することを想定したが、本技術はこれに限定されるものではなく、その他、様々な指標を採用することができる。
【００７７】
例えば、二次電池の抵抗の値を指標とすることができる。二次電池が劣化すると抵抗の値は次第に大きくなる。そこで、充電制御部２６は、総稼働時間ｔｎの時点での二次電池の抵抗の値Ｒ（ｔｎ）と、総稼働時間ｔｎの時点での二次電池の抵抗の許容値ＲＲｅｆ（ｔｎ）とを比較する。
Ｒ（ｔｎ）＜ＲＲｅｆ（ｔｎ）が成立しない場合、充電制御部２６は、二次電池の劣化量がメーカなどにより要求される使用期間が保証されない範囲にあるものと判定し、二次電池の劣化速度が抑制されるようにテーブルの充電条件を更新する。
【００７８】
なお、ＯＣＶ容量は二次電池の劣化が進むと小さくなるが、二次電池の抵抗の値は二次電池の劣化が進むと逆に大きくなる。したがって、二次電池の抵抗の値Ｒ（ｔｎ）と二次電池の抵抗の許容値ＲＲｅｆ（ｔｎ）との比較において大小の関係は逆になる。
【００７９】
また、実際に評価対象とする抵抗の値として「ｔ1秒抵抗」を用いてもよい。ｔ1秒抵抗とは、次のようなものである。
【００８０】
休止している状態（ｔ＝０［ｓ］）から任意の時間（ｔ＝ｔ1［ｓ］）、電流Ｉで定電流を二次電池に流す。ｔ＝０における電圧をＶ0、ｔ＝ｔ1における電圧をＶ1とする。図１０に示すように、上記の測定を様々な電流Ｉで行い、縦軸を｜Ｖ1−Ｖ0｜、横軸を電流Ｉとするグラフの上にプロットしたとき、回帰直線の傾きがｔ1秒抵抗（Ｒｔ1）である。
【００８１】
＜変形例４＞
上記の実施形態では、充電条件テーブルとして二次電池の温度と内部抵抗との組み合わせと充電条件との対応を示すテーブルを用いたが、温度あるいは内部抵抗と充電条件との対応のテーブルとしてもよい。あるいは、その他の１以上の種類のパラメータと充電条件との対応を示すテーブルを用いてもよい。
【００８２】
なお、本技術は以下のような構成もとることができる。
（１）  二次電池のパラメータを検出するパラメータ検出部と、
前記二次電池のパラメータと充電条件との対応を示すテーブルを記憶するテーブル記憶部と、
前記検出されたパラメータをもとに前記テーブルから該当する充電条件を参照し、この充電条件により前記二次電池への充電が行われるように制御するように構成される充電制御部と
を具備する蓄電システム。
【００８３】
（２）前記（１）に記載の蓄電システムであって、
前記テーブルが、前記二次電池の温度および内容抵抗の組み合わせと充電条件との対応を示すテーブルであり、
前記パラメータ検出部が、前記二次電池の温度および内容抵抗を検出するように構成される
蓄電システム。
【００８４】
（３）前記（１）または（２）に記載の蓄電システムであって、
前記充電条件が、前記二次電池の予め決められた利用期間を保証するように定められたものである
蓄電システム。
【００８５】
（４）前記（１）から（３）のいずれかに記載の蓄電システムであって、
前記充電制御部は、前記検出された温度が予め決められた温度より低い場合に前記テーブルから前記該当する充電条件を参照し、この充電条件に従って充電を行わせ、前記検出された温度が予め決められた温度以上である場合に固定の充電条件により充電を行わせるように構成される
蓄電システム。
【００８６】
（５）前記（１）から（４）のいずれかに記載の蓄電システムであって、
前記二次電池の劣化量を算出する劣化量算出部と、
前記二次電池の許容劣化量を算出する許容劣化量算出部と、
をさらに具備し、
前記充電制御部は、前記算出された劣化量と許容劣化量とを比較し、この結果に応じて、前記二次電池の劣化速度が抑制されるように前記テーブルの充電条件を更新するように構成される
蓄電システム。
【００８７】
（６）前記（５）に記載の蓄電システムであって、
前記劣化量算出部及び前記許容劣化量算出部は各々、所定のタイミング条件に従って前記劣化量の算出および前記許容劣化量の算出を行い、
前記充電制御部は、前記テーブルの充電条件が更新された時点での前記劣化量に対して次に検出された前記劣化量の変化値が、前記テーブルの充電条件が更新された時点での前記許容劣化量に対して次に検出された前記許容劣化量の変化値より大きい場合に、前記二次電池の劣化速度が抑制されるように前記テーブルの充電条件を更新するように構成される
蓄電システム。
【符号の説明】
【００８８】
１…二次電池モジュール
２…充電制御装置
３…充電部
１０…劣化パラメータ検出部
１１…電流監視部
１２…電圧監視部
１３…時間監視部
１４…温度監視部
２１…使用履歴記憶部
２２…劣化指標算出部
２３…許容劣化指標算出部
２４…抵抗算出部
２５…充電条件テーブル記憶部
２６…充電制御部
１００…蓄電システム
【図１】
2015104225.tif 000003
【図２】
2015104225.tif 000004
【図３】
2015104225.tif 000005
【図４】
2015104225.tif 000006
【図５】
2015104225.tif 000007
【図６】
2015104225.tif 000008
【図７】
2015104225.tif 000009
【図８】
2015104225.tif 000010
【図９】
2015104225.tif 000011
【図１０】
2015104225.tif 000012